(57)【特許請求の範囲】
【請求項１】
ロック機構本体２に適宜の剛性を有し適宜長さの延伸部７で隔離して設けた開閉拘束手段３を、拘束用ワイヤー４の端末に備えたロック用プラグ５を前記ロック機構本体２に挿脱することにより、隔離位置での操作で開閉可能にしたことを特徴とするワイヤー錠。
【請求項２】
前記ロック機構本体２に適宜の剛性を有し適宜長さの延伸部７で隔離して設けた前記開閉拘束手段３と、操作端側が前記ロック機構本体２に内包され、先端側が前記開閉拘束手段３の開放部を開閉する操作棒６で成ることを特徴とする請求項１に記載のワイヤー錠。
【請求項３】
前記ロック機構本体２に適宜の剛性を有し適宜長さのパイプで固定して設けた略Ｃ字形状フックと、操作端側が前記ロック機構本体２に内包され、前記パイプ内でスライドし、先端側が前記略Ｃ字形状フックの開放部を開閉する前記操作棒６で成ることを特徴とする請求項２に記載のワイヤー錠。
【発明の詳細な説明】
【技術分野】
【０００１】  本発明は、自転車の盗難防止用のワイヤー錠に関する。
【背景技術】
【０００２】  自転車の盗難防止用のワイヤー錠として、一端を自転車のフレームに通して、他端を固定物に通して繋いでロックする例がある。（例えば、特許文献１参照）
【先行技術文献】
【特許文献】
【０００３】
【特許文献１】特開平１０−１９６１８６号公報
【発明の概要】
【発明が解決しようとする課題】
【０００４】  一般にワイヤー錠は、電柱やガードレール等と自転車を繋いでロックする場合には容易であり、車輪をロックして自走できなくする馬蹄形錠前のように施錠状態のまま自転車ごと持ち去られるような危険性が低いため、有用なものである。しかし、電車の駅や地下鉄駅の自転車置き場のように自転車スタンドに隙間なく多くの自転車が駐輪されているような場所では固定物である自転車スタンドと自転車のフレーム又は前輪をワイヤーで繋いでロックするには、自身の身体が入り込む隙間がなく施錠することができない。また、運良く広い場所が空いており施錠できた場合でも、次に自転車を出す際に両隣に他の自転車が駐輪されていた場合には、開錠することが出来なくなってしまうのである。【０００５】  前記特許文献１のワイヤー錠では、身体が入り込む隙間がなく混雑する自転車置き場においては固定物である自転車スタンドと自転車のフレーム又は前輪をワイヤーで繋いでロックするのは困難であった。【０００６】  本発明は、このような問題を解決するためになされたもので、自分の自転車の両隣に他の自転車が駐輪されていて身体が入り込む隙間がない状態であっても自転車スタンドと自転車のフレームを繋いでロックすることを可能にして盗難を防ぐことを目的とするものである。
【課題を解決するための手段】
【０００７】  上記目的を達成するため、本発明は、ロック機構本体に適宜の剛性を有し適宜長さに隔離して設けた開閉拘束手段を、拘束用ワイヤーの端末に備えたロック用プラグを前記ロック機構本体に挿脱することにより、隔離位置での操作で開閉可能にしたことを特徴とするワイヤー錠とする。【０００８】  また、前記開閉拘束手段が、前記ロック機構本体に適宜の剛性を有し適宜長さに隔離し固定して設けた開閉拘束手段と、操作端側が前記ロック機構本体に内包され、先端側が前記開閉拘束手段の開放部を開閉する操作棒で成ることを特徴とするワイヤー錠が好ましい。
また、前記開閉拘束手段が、前記ロック機構本体に適宜の剛性を有し適宜長さのパイプで固定して設けた略Ｃ字形状フックと、操作端側が前記ロック機構本体に内包され、前記パイプ内でスライドし、先端側が前記フックの開放部を開閉する前記操作棒で成ることを特徴とするワイヤー錠が好ましい。【０００９】  拘束用ワイヤーを自転車のフレーム等に巻き付け、そのワイヤーの端末にあるプラグをそのワイヤーの他端のリングに通して自転車を拘束してからロック機構本体のプラグ挿入孔に挿入することにより、隔離位置での操作で、固定物である自転車スタンドを拘束できるようにし、身体が入り込む隙間がない狭い場所でも自転車と固定物である自転車スタンドとを繋ぐことが出来るようにした。
【発明の効果】
【００１０】  本発明のワイヤー錠を使用すると、多くの自転車が駐輪されているような駐輪場で、両隣に他の自転車が駐輪され、身体が入り込む隙間がない狭い場所でも固定物である自転車スタンドに容易に繋いでロックすることが出来る。
【図面の簡単な説明】
【００１１】
【図１】本発明に係るワイヤー錠の説明図である。
【図２】鍵が施錠されていない状態のロック機構本体の断面で示す説明図である。
【図３】鍵が施錠されている状態のロック機構本体の断面で示す説明図である。
【図４】開閉拘束手段をマジックハンド型にした例の説明図である。
【図５】開閉拘束手段をパンタグラフ型にした例の説明図である。
【図６】ワイヤー錠を自転車スタンドに繋いだ例の説明図である。
【図７】ワイヤー錠を電柱に繋いだ例の説明図である。
【図８】ロック機構本体の挿入孔にプラグを挿入していない状態の説明図である。
【図９】ロック機構本体の挿入孔にプラグを挿入している途中の状態の説明図である。
【図１０】ロック機構本体の挿入孔にプラグを挿入した状態の説明図である。
【発明を実施するための形態】
【００１２】  以下、本発明の実施の形態を図１〜図７に基づいて説明する。
【実施例１】
【００１３】  本発明の実施例１について、図１〜図３、及び図８〜図１０を用いて説明する。ロック機構本体２の前方に適宜の剛性を有して適宜の長さに延伸した延伸部７を設け、この延伸部７の先端側に本例では開閉拘束手段を構成する略Ｃ字形状のフック３を設ける。延伸部７は本例ではパイプ状として、パイプ内に内面にスライド可能に操作棒６を設ける。この適宜長さとは、身体が入り込む隙間がなく手が届かない距離を補う長さであって、３０〜８０ｃｍ程度を想定している。場合によっては延伸部７は伸縮自在であってもよい。
延伸部７が適宜の剛性を有するとしたのは、延伸部が先端部の自重等で容易に曲がるようでは、適宜離れた位置で目標に対する延伸部先端のフックの開閉ができないことを考慮したものである。【００１４】  ロック機構本体２の前方側に操作棒６の手元側１２とコイルばね９を収納する収納スペース２０を備える。
操作棒６の手元側１２の端部はロック機構本体２の内部で操作棒の径より大きい径を有したばね受け座１５を備え、収納スペース２０の内部で操作棒６外周にコイルばね９が装着される。
収納スペース２０の前方側は操作棒６を通過させるがコイルばね９の逸脱を阻止する狭径部２０ａと、収納スペース２０の手元側はばね受け座１５の逸脱を阻止する狭径部２０ｂを備える。【００１５】  拘束用ワイヤー４の一方の端側を輪状にしたリング１０を設け、他方の端側にロック用プラグ５を設ける。ロック用プラグ５の断面形状は円形でも矩形でもよく、先端部１４の基部側に切込溝１７を設ける。
前記のロック機構本体２の手元側端部にロック用プラグ５を挿入するプラグ挿入穴１１を設ける。
ロック用プラグ５をロック機構本体２のプラグ挿入穴１１に挿入すると、プラグ先端部がばね受け座１５に当接してコイルばね９のばね力に抗して押し付け、操作棒６がスライドして、操作棒の先端部１３がＣ形状フックの開放端側に設けたフック先端の窪み１８に装着される。これによってＣ形フックの開放部が閉塞される。【００１６】  Ｃ形フック３の閉塞状態のとき、プラグ挿入穴近傍にラチェット１６が設けられていてラチェット爪１６ａがロック用プラグの切込溝１７に噛み込んでロック用プラグの逸脱を阻止し、Ｃ形状フックの閉塞状態を保持する。ロック用プラグの逸脱を阻止する状態を保持するためラチェット１６の位置を固定する錠８をラチェットの適宜近傍に設ける。
錠８でラチェットの固定を解除することによりラチェット爪が切込溝１７から外れ、ロック用プラグをプラグ挿入穴から抜き取ることができる。この時操作棒６は、ばね受け座１５に当接したコイルばねによって押し戻されＣ形状フックの開放部は開放状態を保持する。錠８の種類はここでは限定しないがシリンダー錠などを使用することができる。【００１７】  つぎに使用方法について説明する。
ワイヤー４を自転車に巻き付け、リング１０にロック用プラグを通して輪を形成し、この輪によって自転車が拘束されるようにする。
つぎに、操作棒の先側のＣ字形状フック３の開口部を自転車スタンドなどの固定部に当てて、ロック用プラグをロック機構本体２に挿入し、Ｃ字形状フック３の開口部を操作棒の先端側が横断して塞ぎ、自転車スタンドに拘束する。【００１８】  図２は、ロック機構本体の断面図で鍵が施錠されていない状態を表している。混雑した駐輪場においては、自転車スタンドに手は届かないので、ロック機構本体２を手に持ち、ロック機構本体に適宜長さに隔離し固定して設けたＣ字形状フック３を自転車スタンドに引っ掛けた状態で、自転車のフレームに巻き付けたワイヤーの端のロック用プラグ５を、ロック機構本体２のプラグ挿入孔１１に挿入する。【００１９】  図３は、ロック機構本体にロック用プラグを挿入した状態を表している。ロック用プラグ５を挿入する際に、ロック用プラグの先端１４がばね受座１５及び操作棒の手元側１２を押すことにより、延伸部７のパイプ内に内包された操作棒６がスライドし、操作棒の先端部１３がＣ字形状フックの開放端側に設けたフック先端の窪み１８に装着されてＣ字形状フックの開放部が閉塞される。【００２０】  図６は、本発明のワイヤー錠を使用して、自転車と固定物である駐輪場の自転車スタンドとを繋いで施錠した例であり、図１中の拘束用ワイヤー４を自転車のフレームに巻き付け、ワイヤーの端のリング１０にプラグ５を通して、その通したプラグ５をＣ字形状フック３を自転車スタンドに引っ掛けた状態であるロック機構本体２のプラグ挿入孔１１に挿入することにより、延伸部７のパイプの中で操作棒６が押されてスライドし、Ｃ字形状のフック３の開口部を閉鎖し、自転車スタンドを拘束する。【００２１】  錠８は、プラグ５をロック機構本体２のプラグ挿入孔１１に挿入した時にプラグが抜けないようにロックするもので、駐輪状態を解除する場合には鍵１９をもって開錠するものである。コイルばね９は、開錠する際に、プラグ５の脱孔を補助するものである。【００２２】  図７は、自転車を係止する固定物が電柱等の大きな物であって、Ｃ字形状のフックでは、引っ掛けることができないものである場合に、本発明に係るワイヤー錠で係止する方法を表したもので、拘束用ワイヤーを自転車に巻き付け、更に電柱をも巻き込むようにした上で、Ｃ字形状のフックを自転車のフレーム又はワイヤーの端のリングに引っ掛けて係止する。
【実施例２】
【００２３】  図４は、隔離位置での操作で、自転車スタンドを拘束する手段として同様の効果が期待できるものの例として、開閉拘束手段としてマジックハンドを用いたものである。
【実施例３】
【００２４】  図５は、隔離位置での操作で、自転車スタンドを拘束する手段として同様の効果が期待できるものの例として、開閉拘束手段の延伸部をパンタグラフ型にしたものである。
【符号の説明】
【００２５】１    ワイヤー錠
２    ロック機構本体
３    開閉拘束手段
４    拘束用ワイヤー
５    ロック用プラグ
６    操作棒
７    延伸部
８    錠
９    コイルばね
１０  リング
１１  プラグ挿入孔
１４  プラグの先端
１５  ばね受座
１６  ラチェット
１７  切込溝
１９  鍵
２０  収納スペース
【要約】
【課題】  混雑した駐輪場において身体が入り込む隙間がない状態であっても、隔離位置での操作で施錠するワイヤー錠を提供する。
【解決手段】  ロック機構本体に適宜の剛性を有し適宜長さに隔離して設けた開閉拘束手段を、拘束用ワイヤーの端末に備えたロック用プラグを前記ロック機構本体に挿脱することにより、隔離位置での操作で開閉可能にしたことを特徴とするワイヤー錠。
【選択図】図６【図１】
0006031638.tif 000002
【図２】
0006031638.tif 000003
【図３】
0006031638.tif 000004
【図４】
0006031638.tif 000005
【図５】
0006031638.tif 000006
【図６】
0006031638.tif 000007
【図７】
0006031638.tif 000008
【図８】
0006031638.tif 000009
【図９】
0006031638.tif 000010
【図１０】
0006031638.tif 000011